(57)【特許請求の範囲】
【請求項１】
受像管に表示されるテレビ画面の映像信号を所定の基準電圧と比較して画像信号を取り出す比較手段と、
上記比較手段の出力信号から所定の検出領域の信号を取り出すゲート手段と、上記ゲート手段の出力信号を積分して出力する積分手段と、
上記積分手段の出力信号の電圧値に応じたデジタル信号を出力するＡ／Ｄコンバータと、
上記Ａ／Ｄコンバータより出力されるデジタル信号を読み込んで画面サイズを判定する判定手段と、
上記判定手段で判定した画面サイズに応じて上記受像管の偏向を制御する制御部とを備え、
上記検出領域が複数のゾーンから構成され、検出される画面サイズ毎に各ゾーンにおける画像信号の有無の組合わせが異なるように各ゾーンの位置が選択されると共に、上記ゾーン毎に上記積分手段の重みを変えて上記ゲート手段の出力信号を積分することを特徴とする画面サイズ判定回路。
【請求項２】
受像管に表示されるテレビ画面の映像信号を所定の基準電圧と比較して画像信号を取り出す比較手段と、
上記比較手段の出力信号から所定の検出領域の信号を取り出すゲート手段と、
上記ゲート手段の出力信号を上記テレビ画面の一画面ごとに積分して出力する積分手段と、
上記積分手段の出力信号の電圧値に応じたデジタル信号を出力するＡ／Ｄコンバータと、
上記Ａ／Ｄコンバータより出力されるデジタル信号を読み込んで上記テレビ画面の一画面ごとに画面サイズを判定する判定手段と、
上記判定手段で判定した画面サイズに応じて上記受像管の偏向を制御する制御部とを備え、
上記検出領域が複数のゾーンから構成され、検出される画面サイズ毎に各ゾーンにおける画像信号の有無の組み合わせが異なるように各ゾーンの位置が選択されると共に、
上記ゾーン毎に上記積分手段の重みを変えて上記ゲート手段の出力信号を積分することを特徴とする画面サイズ判定回路。
【発明の詳細な説明】
【０００１】
【発明の属する技術分野】
この発明は、画面サイズ判定回路に関する。詳しくは、所定の検出領域の画像部分の信号を積分してその電圧値に応じて出力されるデジタル信号を読み込んで画面サイズを判定することによって、検出精度を改善した画面サイズ判定回路に係るものである。
【０００２】
【従来の技術】
受信したテレビ放送やビデオデッキからの再生映像信号に基づく画面のサイズを検出し、その画面サイズの種類に応じて受像管の表示面を有効に使用するように、画面の縦方向の拡大処理機能を有するテレビがある。
【０００３】
画面サイズとしては、図５に示すように、例えば縦と横の比率が３：４の標準サイズ、約１：１．６〜２．０のビスタサイズ及び約１：２．２〜２．５のシネスコサイズなどがある。
【０００４】
標準サイズの画面は、受像管の表示面の全てを使用するものであり、ビスタサイズ及びシネスコサイズの画面は上部及び下部の走査線の何本かは使用しないものである。ビスタサイズは殆どの場合１フィールド当たり１Ｈから少なくとも３４Ｈまでの上部の走査線と少なくとも２４１Ｈから２６２．５Ｈまでの走査線を使用しないものであり、シネスコサイズはその上部はビスタサイズと同じであるが、下部については殆どの場合少なくとも２１９Ｈから２６２．５Ｈまでの走査線については使用されない無画面部となる。
【０００５】
上述した拡大処理機能を有するテレビでは、これから表示する画面が標準サイズ、ビスタサイズ及びシネスコサイズのいずれであるかが判定され、標準サイズであると判定されたときは、拡大処理が行なわれずにそのままのサイズで受像管に表示される。ビスタサイズやシネスコサイズであると判定されたときは、受像管の表示面が全て使われるように各サイズに応じた比率で縦方向に拡大処理されて表示される。
【０００６】
図６は、上述した画面拡大機能を実現するための画面サイズ判定回路６０の構成例を示している。図７は、後述する検出範囲Ａゾーン及びＢゾーンにおける、画面サイズ判定回路６０の各部の入出力信号の一例を示す図である。
【０００７】
図６において、画面サイズ判定回路６０は、バッファアンプ１、ペデスタルクランプ回路２、コンパレータ回路３、基準電圧出力回路６１及びゲート回路５を有している。
【０００８】
バッファアンプ１には受像管１３に表示する映像信号に含まれる輝度信号ＳＶが供給されてインピーダンス変換が行われる。バッファアンプ１の出力信号はペデスタルクランプ回路２に供給される。ペデスタルクランプ回路（以下、「クランプ回路」という）２では、バッファアンプ１の出力信号のペデスタルレベルに対するクランプ処理が行われ、その出力信号ＳＰＣはコンパレータ回路３に供給される。
【０００９】
コンパレータ回路３では、図７（ａ）に示すように、クランプ回路２の出力信号ＳＰＣが基準電圧出力回路６１より供給される基準電圧Ｖｒ（黒レベル）と比較される。そして、図７（ｂ）に示すように、信号ＳＰＣの電圧が基準電圧Ｖｒより高いところではコンパレータ回路３の出力信号ＳＣは正となり、信号ＳＰＣの電圧が基準電圧Ｖｒより低いところでは信号ＳＣは０となるようになっている。
【００１０】
これにより、検出ラインにおける画像の有無を検出できる。この出力信号ＳＣは、ＡＮＤゲートで構成されるゲート回路５の一方の入力端子に供給される。
【００１１】
また、画面サイズ判定回路６０は、ゲートパルス信号出力回路６２、Ａ／Ｄコンバータ６３、マイコン６４、インタフェース１１及び垂直偏向回路１２を有している。
【００１２】
ゲートパルス信号出力回路６２では、垂直同期信号及び水平同期信号を利用して、図７（ｃ）に示すように画像の検出部分のみを正電圧、その他を０電圧としたパルス信号（ゲート信号）ＳＰが生成されて、これがゲート回路５に供給される。
【００１３】
Ａ／Ｄコンバータ６３では、ゲート回路５より供給される信号ＳＡ（図７（ｄ））がデジタル変換されて、図７（ｅ）に示すように、正電圧のとき「１」、０電圧のとき「０」のデジタル信号ＳＤが出力される。そして、マイコン６４では、Ａ／Ｄコンバータ６３より供給されるデジタル信号ＳＤの組合わせによる画面サイズの判定が行われて、その画面サイズに合わせて拡大処理を行う制御信号ＳＣＭが出力される。垂直偏向回路１２では、インタフェース１１を介して供給される制御信号ＳＣＭに応じて受像管１３の垂直偏向幅を制御して受像管１３に表示する画面の縦方向を拡大する。
【００１４】
この画面サイズ判定回路６０における画像の有無の検出は、図８に示すように、３１Ｈ〜３４Ｈまでの４ライン（Ａゾーン）と、２２０Ｈ〜２２３Ｈまでの４ライン（Ｂゾーン）と、２４２Ｈ〜２４５Ｈまでの４ライン（Ｃゾーン）で行われる。図５及び図８に示すように、Ｂゾーンにあってはビスタサイズは画像領域であるが、シネスコサイズは画像領域外である。したがって、図９に示すように、Ａ，Ｂ，Ｃの各ゾーンでの水平ライン単位の映像信号の有無（の組合わせ）によって画面サイズを判定できる。
【００１５】
なお、Ａゾーンにおいては、チャネル表示や時刻表示の画像による誤動作を防ぐために、両端はその検出範囲から除かれる。また、Ｂゾーン及びＣゾーンにおいては、字幕等による誤動作を防ぐために、中央付近はその検出範囲から除かれる。
【００１６】
【発明が解決しようとする課題】
ところで、上述した構成の回路では、マイコン６４は、Ａ，Ｂ，Ｃの各ゾーンの各ライン毎にＡ／Ｄコンバータ６３の出力信号ＳＤの値を読み込み、読み込んだ４ラインの信号ＳＤの有無の組合わせからゾーン毎の画像の有無を判定したのち、その各ゾーンの判定結果の組合わせによって画面サイズの判定を行うようにしている。よって、マイコン６４は合計１２回のデータの読み込みと４回の判定を判定を行う必要があり、マイコン６４への負担が大きい。
【００１７】
また、上述した構成の回路では、図１０（ａ）に示すようにクランプ回路２の出力信号ＳＰＣにノイズ成分が存在すると、図１０（ｂ）に示すようにコンパレータ回路３が誤動作してゲート回路５に供給される出力信号ＳＣが不安定になり、実際に画像が存在している検出範囲でもＡ／Ｄコンバータ６３からマイコン６４に供給される信号ＳＤが「０」になったりする。これによってマイコン６４が正しいゾーン判定を行えないことがある。
【００１８】
また、コンパレータ回路３の基準電圧Ｖｒは黒レベル近傍に設定されているので、検出すべき画像が非常に暗いときは、図１０（ｃ）に示すように、信号ＳＰＣの画像部分と基準電圧Ｖｒとは殆ど差がなくなる。その結果、温度変化によるドリフトによって基準電圧Ｖｒのレベルが僅かに変化するだけでコンパレータ回路３が誤動作するおそれがあり、これによってもマイコン６４が正しい判定を行えないことがある。
【００１９】
このように、上述した回路構成では、マイコンの読み込み回数や判定回数が多く、マイコンに大きな負担をかけていた。また、検出する画像にノイズが混入したり、温度ドリフトによって基準電圧が変化したりすると正しい画面サイズの判定が行われないおそれがあった。
【００２０】
そこで、この発明では、マイコンの負担を軽減すると共に、ノイズや温度ドリフトの影響を受けにくい画面サイズ判定回路を提供するものである。
【００２１】
【課題を解決するための手段】
この発明に係る第１の画面サイズ判定回路は、受像管に表示されるテレビ画面の画像信号を所定の基準電圧と比較して画像信号を取り出す比較手段と、この比較手段の出力信号から所定の検出領域の信号を取り出すゲート手段と、このゲート手段の出力信号を積分して出力する積分手段と、この積分手段の出力信号の電圧値に応じたデジタル信号を出力するＡ／Ｄコンバータと、このＡ／Ｄコンバータより出力されるデジタル信号を読み込んで画面サイズを判定する判定手段と、この判定手段で判定した画面サイズに応じて受像管の偏向を制御する制御部とを備え、上記検出領域が複数のゾーンから構成され、検出される画面サイズ毎に各ゾーンにおける画像信号の有無の組合わせが異なるように各ゾーンの位置が選択されると共に、上記積分手段がゾーン毎に重みを変えてゲート手段の出力信号を積分することを特徴とするものである。
【００２２】
更に、この発明に係る第２の画面サイズ判定回路は、受像管に表示されるテレビ画面の映像信号を所定の基準電圧と比較して画像信号を取り出す比較手段と、この比較手段の出力信号から所定の検出領域の信号を取り出すゲート手段と、このゲート手段の出力信号をテレビ画面の一画面ごとに積分して出力する積分手段と、この積分手段の出力信号の電圧値に応じたデジタル信号を出力するＡ／Ｄコンバータと、このＡ／Ｄコンバータより出力されるデジタル信号を読み込んでテレビ画面の一画面ごとに画面サイズを判定する判定手段と、この判定手段で判定した画面サイズに応じて受像管の偏向を制御する制御部とを備え、
検出領域が複数のゾーンから構成され、検出される画面サイズ毎に各ゾーンにおける画像信号の有無の組み合わせが異なるように各ゾーンの位置が選択されると共に、積分手段がゾーン毎に重みを変えてゲート手段の出力信号を積分することを特徴とするものである。
【００２３】
第１及び第２の画面サイズ判定回路において、ゲート手段より出力される検出領域の画像部分の信号は、積分手段で重みを変えて積分されて出力される。この積分された出力信号はＡ／Ｄコンバータでその電圧値に応じてデジタル信号に変換されて出力される。このデジタル信号は判定手段で読み込まれて画面サイズが判定される。よって、判定手段ではデジタル信号を１回読むだけで画面サイズの判定を行うことができる。また、積分された信号によって画面サイズの判定が行われるので、ノイズや温度ドリフトなどによる影響を受けにくい。
【００２４】
また、検出領域が複数のゾーンからなるものでは、積分手段で各ゾーン毎に重みが変えられて積分される。これにより、各ゾーンの画像検出時の電圧の増加の割合が異なる。よって、各ゾーンにおける画像信号の有無の組合わせが異なれば、Ａ／Ｄコンバータの出力電圧は必ず異なることとなる。
【００２５】
【発明の実施の形態】
以下、図面を参照しながら、この発明の実施の形態について説明する。図１は、実施の形態としての画面サイズ判定回路１００の構成を示している。この図１において、図６と対応する部分には同一符号を付し、その詳細説明は省略する。
【００２６】
図１において、基準電圧出力回路４からは基準電圧Ｖｒｅｆがコンパレータ回路３に供給される。この基準電圧Ｖｒｅｆは、図２（ａ）に示すように、黒レベルよりも高いレベルになっている。そして、コンパレータ回路３では、クランプ回路２の出力信号ＳＰＣが基準電圧Ｖｒｅｆと比較されて、信号ＳＰＣが基準電圧Ｖｒｅｆより高い領域では正となる信号ＳＣが出力される。
【００２７】
そしてゲートパルス信号出力回路６からは、水平同期信号と垂直同期信号を利用して、検出する領域を正としたパルス信号ＳＧＰがゲート回路５に供給される。このパルス信号ＳＧＰは、図２（ｃ）に示すように、図８に示すＡゾーン（３１，３２，３３，３４Ｈ）における画像部分の中央付近に相当する領域と、Ｂゾーン（２２０，２２１，２２２，２２３Ｈ）及びＣゾーン（２４２，２４３，２４４，２４５Ｈ）における画像部分の両端に相当する領域にそれぞれ対応したパルスである。なお、水平同期期間で各ゾーンの検出パルス幅が等しくなるように、Ｂゾーン及びＣゾーンの各パルス幅はＡゾーンのパルス幅のほぼ２分の１になっている。
【００２８】
ゲート回路５では、コンパレータ回路３の出力信号ＳＣとゲートパルス信号ＳＧＰとが比較されて、図２（ｄ）に示すような出力信号ＳＧが得られる。このゲート回路５は必ずしも必要ではなく、場合によってこれを省略することもできる。この場合には検出ゾーンはマイコン１０で管理される。
【００２９】
画面サイズ判定回路１００は、プログラムゲインアンプ７と積分器８を有している。
【００３０】
プログラムゲインアンプ（以下、「ゲインアンプ」という）７を構成するオペアンプ１５の非反転入力端子にはゲート回路５の出力信号ＳＧがオペアンプ１４で極性反転されて供給される。オペアンプ１５の反転入力端子には、一端が接地された抵抗値Ｒの抵抗器Ｒ１の他端と、３個の固定端子Ａ，Ｂ，Ｃを持つスイッチＳＷ１の可動端子Ｄが接続される。スイッチＳＷ１の固定端子Ａはオペアンプ１５の出力端子に接続される。固定端子Ｂは抵抗値Ｒの抵抗器Ｒ２を介して、また固定端子Ｃは抵抗値３Ｒの抵抗器Ｒ３を介してオペアンプ１５の出力端子に接続される。
【００３１】
ゲインアンプ７の出力端子は、積分器８を構成するオペアンプ１６の反転入力端子に抵抗器Ｒ４を介して接続される。オペアンプ１６の非反転入力端子は接地されている。オペアンプ１６の反転入力端子と出力端子との間にはコンデンサＣが接続されると共に、最大電圧値がそれぞれ１Ｖ，３Ｖ，７Ｖである３個のツェナダイオードＺＤ１，ＺＤ２，ＺＤ３がスイッチＳＷ２を介して並列に接続される。このスイッチＳＷ２と、スイッチＳＷ１の接続の切替は共にスイッチ制御回路１７によって制御される。
【００３２】
以上の構成において、ゲート回路５の出力信号ＳＧは極性反転されて、オペアンプ１５の非反転入力端子に供給されて増幅される。スイッチＳＷ１の可動端子Ｄが、スイッチ制御回路１７より出力される制御信号ＳＣＣによって制御されて固定端子Ａに接続されるときは、オペアンプ１５の反転入力端子の電位と出力端子の電位が等しくなるので、図２（ｅ）のＡゾーン部分に示すように、非反転入力端子に供給される信号ＳＧは増幅されず積分器８に供給される。また、スイッチＳＷ１の可動端子Ｄが固定端子Ｂに接続されるときは、抵抗器Ｒ１と同じ抵抗値を持つＲ２がオペアンプ１５の反転入力端子と出力端子との間に接続され、オペアンプ１５の反転入力端子の電位が出力端子の電位の２分の１になるので、図２（ｅ）のＢゾーン部分に示すように、信号ＳＧは２倍に増幅されて積分器８に供給される。また、スイッチＳＷ１の可動端子Ｄが固定端子Ｃに接続されるときは、抵抗器Ｒ１の３倍の抵抗値を持つＲ３がオペアンプ１５の反転入力端子と出力端子との間に接続され、オペアンプ１５の反転入力端子の電位が出力端子の電位の４分の１になるので、信号ＳＧが４倍に増幅されて積分器８のオペアンプ１６の反転入力端子に供給される。
【００３３】
積分器８では、ゲインアンプ７で増幅されてオペアンプ１６の反転入力端子に供給された信号ＳＲが、コンデンサＣによって積分されて図２（ｆ）に示すように、オペアンプ１６の出力端子より電圧ＶＩとして出力される。この出力電圧ＶＩは、オペアンプ１６の反転入力端子と出力端子との間に接続されたツェナダイオードによってその最大電圧が制限される。スイッチ制御回路１７によって制御されてスイッチＳＷ２の可動端子Ｈが固定端子Ｅに接続されるときは、ツェナダイオードＺＤ１によって出力電圧ＶＩの最大値は１Ｖに制限される。また、可動端子Ｈが固定端子Ｆに接続されるときはツェナダイオードＺＤ２によって出力電圧ＶＩの最大値は３Ｖに制限され、固定端子Ｇに接続されるときはツェナダイオードＺＤ３によって７Ｖに制限される。
【００３４】
また、画面サイズ判定回路１００は、Ａ／Ｄコンバータ９及びマイコン１０を有する。
【００３５】
Ａ／Ｄコンバータ９には、積分器８の出力電圧ＶＩが供給される。そして、Ａ／Ｄコンバータ９からは、その入力電圧ＶＩに応じて出力ＸＡ，ＸＢ，ＸＣからなる例えば（０，０，１）などの３ビットのデジタル信号が出力される。マイコン１０では、Ａ／Ｄコンバータ９より供給される３ビットのデジタル信号より受像管１３に表示される画面のサイズを判定して制御信号ＳＣＭを出力し、垂直偏向回路１２を制御して受像管１３の表示画面の縦方向の大きさを画面サイズの種類に応じて変化させる。
【００３６】
次に、図１〜図４及び図８を用いて積分器８の出力電圧ＶＩ及びＡ／Ｄコンバータ９のデジタル出力ＸＡ，ＸＢ，ＸＣについて説明する。
【００３７】
図８に示すＡゾーンの検出中は、ゲインアンプ７のスイッチＳＷ１の可動端子Ｄはスイッチ制御回路１７によって制御されて固定端子Ａに接続される。よって、例えば２図（ａ）に示すようにＡゾーンに画像が存在して図２（ｄ）に示すように各水平同期期間の中央付近を正とする信号ＳＧがゲインアンプ７に供給されるときは、図２（ｅ）に示すように信号ＳＧは増幅されずに出力される（信号ＳＲ）。
【００３８】
出力信号ＳＲは積分器８で積分される。信号ＳＲが正のときは、積分器８の出力電圧ＶＩは時定数で定まる所定の比率で増加し、信号ＳＲが０電圧のときはその電圧値を維持する。そして、例えばＡゾーンの４ライン（３１，３２，３３，３４Ｈ）の全てに画像が存在して、図２（ｅ）に示すように信号ＳＲに一定幅２ａの４個のパルスが存在するとき、Ａゾーン検出中に出力電圧ＶＩが１Ｖに増加するようになっている。Ａゾーン検出中は、スイッチＳＷ２はスイッチ制御回路１７に制御されて可動端子Ｈが固定端子Ｅに接続され、出力電圧ＶＩは１Ｖに制限される。
【００３９】
また、図８に示すＢゾーンの検出中は、スイッチＳＷ１の可動端子Ｄはスイッチ制御回路１７によって制御されて固定端子Ｂに接続される。よって、例えば図２（ａ）に示すようにＢゾーンに画像が存在して図２（ｄ）に示すように各水平同期期間の両端付近を正とする信号ＳＧがゲインアンプ７に供給されるときは、図２（ｅ）に示すように信号ＳＧは２倍に増幅されて信号ＳＲとして出力される。この出力信号ＳＲは積分器８で積分され、例えばＢゾーンの４ライン（２２０，２２１，２２２，２２３Ｈ）の全てに画像が存在して図２（ｅ）に示すように信号ＳＲに一定幅ａの８個のパルスが存在するときには、出力電圧ＶＩは２Ｖに増加するようになっている。Ｂゾーン検出中は、スイッチＳＷ２はスイッチ制御回路１７に制御されて可動端子Ｈが固定端子Ｆに接続され、出力電圧ＶＩは３Ｖに制限される。
【００４０】
また、図８に示すＣゾーン検出中は、スイッチＳＷ１の可動端子Ｄはスイッチ制御回路１７によって制御されて固定端子Ｃに接続される。よって、例えばＣゾーンに画像が存在してパルス信号ＳＧが供給されるときは、信号ＳＧは４倍に増幅されて出力される。この出力信号ＳＲは積分器で積分されて、例えばＣゾーンの４ライン（２４２，２４３，２４４，２４５Ｈ）の全てに画像が存在して信号ＳＲに一定幅ａの８個のパルスが存在するときには、出力電圧ＶＩは４Ｖに増加するようになっている。Ｃゾーン検出中は、スイッチＳＷ２はスイッチ制御回路１７に制御されて、可動端子Ｈが固定端子Ｇに接続され、出力電圧ＶＩは７Ｖに制限される。
【００４１】
したがって、画面全てを使用しＡ，Ｂ，Ｃゾーンの３ゾーン全てに画像が検出される標準サイズの画面では、積分器８の出力電圧ＶＩは、図３に示すようにＡゾーン検出中に１Ｖ増加した後、Ｂゾーン検出中に２Ｖ増加して３Ｖになり、Ｃゾーン検出中に更に４Ｖ増加して７Ｖになる。ビスタサイズの画面ではＡゾーンとＣゾーンが無画面で映像信号が存在しない。したがって、Ｂゾーンのみに画像が検出されるようなビスタサイズの画面では、積分器８の出力電圧ＶＩは、Ｂゾーン検出中に２Ｖまで増加してＣゾーン検出後もその電圧を維持する。また、シネスコサイズの画面では、Ａ，Ｂ，Ｃゾーンの３ゾーンの全てで画像が検出されないから、積分器８の出力電圧ＶＩは０Ｖのままである。
【００４２】
図４に示すように、入力電圧ＶＩが７Ｖであるときは、Ａ／Ｄコンバータ９より、ＸＡ＝１，ＸＢ＝１，ＸＣ＝１の３ビットの出力（１，１，１）が得られる。同様に、入力電圧ＶＩが２Ｖであるときは、Ａ／Ｄコンバータ９の出力は、ＸＡ＝０，ＸＢ＝１，ＸＣ＝０、つまり（０，１，０）となる。また、入力電圧ＶＩが０Ｖであるときは、Ａ／Ｄコンバータ９より、ＸＡ＝０，ＸＢ＝０，ＸＣ＝０の３ビットの出力（０，０，０）が得られ、これらの出力はいずれもマイコン１０に供給される。
【００４３】
マイコン１０では、Ａ／Ｄコンバータ９より供給される３ビットのデジタル出力（ＸＡ，ＸＢ，ＸＣ）を読み込んでその論理値から画面サイズを判定する。検出した画面が標準サイズであるときはサイズ変更されない。検出した画面がビスタサイズやシネスコサイズであるときには、上部及び下部の無画像部分が少なくなるように拡大処理される。
【００４４】
ところで、本実施の形態においては、例えば図１０（ａ）に示すように検出する画像にノイズが存在して、図１０（ｂ）に示すようにコンパレータ回路３が誤動作したとしても、検出信号ＳＲを積分したものをＡ／Ｄコンバートするようにしているので、ノイズによる判定処理の影響を少なくできる。また、ゲインアンプ７での検出信号ＳＲに対する重みを各ゾーンで変化させているので、サイズ検出電圧の間隔（電圧差）を広くとることができる。よって、サイズ判定のためのそれぞれのしきい値の間隔に余裕ができる。そのため、判定精度が向上する。
【００４５】
また、本実施の形態においては、上述したように、積分器８で検出信号ＳＲを積分してＡ／Ｄコンバータ９で画面サイズの判定を行うものであり、サイズ判定のしきい電圧を低めに設定することができる。したがって、検出画像が暗くてコンパレータ回路３で画像を部分的に検出できなかったとしても、正確な画面サイズ判定が行われる。
【００４６】
また、コンパレータ回路３の基準電圧Ｖｒｅｆを黒レベルよりも高いレベルに設定できるので、温度ドリフトなどによって基準電圧Ｖｒｅｆが多少変動してもその影響を余り受けない。
【００４７】
マイコン１０では、Ａ／Ｄコンバータ９より供給されるデジタル信号（ＸＡ，ＸＢ，ＸＣ）をＣゾーンの検出後に１回読むだけでサイズ判定が行われるので、マイコンの負担が従来の判定回路に比べて大幅に減少する。
【００４８】
本実施例においては、画面サイズの判定により垂直方向の拡大処理を行うものであるが、例えば受像管がワイドサイズのものである場合、その横方向の画面を有効に使うべく水平偏向制御回路を制御して水平方向の拡大処理等を同時に行ってもよい。
【００４９】
【発明の効果】
この発明に係る第１及び第２の画面サイズ判定回路によれば、ゲート手段の出力信号である各ゾーンの画像検出信号が積分手段によってゾーン毎に重みを変えて積分されて出力されるため、その出力信号の読み込み及びその読み込み結果による画面サイズの判定が１回で済み、マイコンの負担が大幅に軽減される。また、積分後の出力信号の最大電圧が制限されると共に、各画面サイズ判定のしきい電圧を低く設定することができるため、画像を検出するコンパレータがノイズや温度ドリフトなどによって誤動作したとしても、正確な画面サイズ判定を行うことができる。
【図面の簡単な説明】
【図１】実施の形態としての画面サイズ判定回路１００の構成を示す図である。
【図２】図１における各部の入出力信号を説明するための図である。
【図３】図１に示す積分器８の出力電圧を示す図である。
【図４】図１に示すＡ／Ｄコンバータ９の入出力信号を示す図である。
【図５】画面サイズの一例を示す図である。
【図６】従来の画面サイズ判定回路６０の構成を示す図である。
【図７】図６における各部の入出力信号を説明するための図である。
【図８】画像の検出範囲を示す図である。
【図９】図６に示すマイコン６４の画面サイズ判定動作を説明するための図である。
【図１０】コンパレータ回路３の動作を説明するための図である。
【符号の説明】
３  コンパレータ回路
４，６１  基準電圧出力回路
５  ゲート回路
６，６２  ゲートパルス信号出力回路
７  ゲインアンプ
８  積分器
９，６３  Ａ／Ｄコンバータ
１０，６４  マイコン
１２  垂直偏向回路
１３  受像管
１４，１５，１６  オペアンプ
１７  スイッチ制御回路
６０，１００  画面サイズ判定回路
【図１】
0003562100.tif 000002
【図２】
0003562100.tif 000003
【図３】
0003562100.tif 000004
【図４】
0003562100.tif 000005
【図５】
0003562100.tif 000006
【図６】
0003562100.tif 000007
【図７】
0003562100.tif 000008
【図８】
0003562100.tif 000009
【図９】
0003562100.tif 000010
【図１０】
0003562100.tif 000011